(57)【要約】【課題】年配者や女性であっても負担なく簡単に装着されて支柱に対し被覆シートを円滑に保持することができる被覆シート用保持具を提供する。【解決手段】支柱Ａに対し被覆シートＢを保持する被覆シート用保持具２として、支柱Ａの直径Ｌよりも若干量だけ小さい周方向寸法Ｋの切欠口２１を有する保持具本体２０と、保持具本体２０の周面に摺接し、切欠口２１を開放した状態に退避する一方当該切欠口２１を塞ぐように進出する進退帯状部材３と、を備える。支柱Ａの周面に対し被覆シートＢを周方向から包囲した状態で保持具本体２０内に挿通したときに開口している切欠口２１を塞ぐように進退帯状部材３を進出させた際に、切欠口２１から露見する被覆シートＢの露見部分Ｂ１，Ｂ１を貫通した状態で当該被覆シートＢを保持している。【選択図】図６
0003233068.tif 000002
【実用新案登録請求の範囲】
【請求項１】
略真円形状の周面を有する支柱に対し被覆シートを保持する被覆シート用保持具であって、
周方向の一部が前記支柱の直径よりも若干量だけ小さい寸法となるように軸線方向に切り欠いた切欠口を有する断面略Ｃ字状の保持具本体と、
前記保持具本体の周面に摺接し、前記切欠口を周方向へ開放した状態に保持するように退避する一方当該切欠口を周方向から塞ぐように周方向へ進出する平面視で略円弧状の進退帯状部材と、
を備え、
前記支柱の周面に対し前記被覆シートを周方向から包囲した状態で前記保持具本体内に挿通したときに開口している前記切欠口を塞ぐように前記進退帯状部材を進出させた際に、前記切欠口から露見する前記被覆シートの露見部分を貫通した状態で当該被覆シートを保持するようにしたことを特徴とする被覆シート用保持具。
【請求項２】
前記進退帯状部材は、前記保持具本体の少なくとも周方向３箇所に設けられた挿通部材に進退自在に支持されていて、前記各挿通部材のうちの互いに相隣なる挿通部材同士の間より半径方向外方へ突出する突起により前記互いに相隣なる挿通部材同士の間を進退操作され、前記突起が前記互いに相隣なる挿通部材同士の一方に当接するまで移動した際に前記切欠口を開口する退避した状態に切り換えられる一方、前記突起が前記互いに相隣なる挿通部材同士の他方に当接するまで移動した際に前記切欠口を塞ぐように進出した状態に切り換えられる請求項１に記載の被覆シート用保持具。
【請求項３】
前記進退帯状部材は、前記保持具本体の軸線方向に複数設けられている請求項１又は請求項２に記載の被覆シート用保持具。
【請求項４】
前記保持具本体は、亜鉛メッキされた鋼板により形成されている請求項１〜請求項３のいずれか１つに記載の被覆シート用保持具。
【考案の詳細な説明】
【技術分野】
【０００１】
本考案は、農耕地に立設するなどした支柱に対し被覆シートを保持する被覆シート用保持具に関する。
【背景技術】
【０００２】
従来より、この種の被覆シート用保持具は、農耕地に一定の間隔を隔てて立設した複数の支柱やその互いに相隣なる支柱の上端同士の間に掛け渡された支柱に対し、透光性を有しかつ非通気性の被覆シートや通気性を有する網目状の被覆シートを被覆した状態で、各支柱に対し被覆シートを保持する際に用いられている（特許文献１参照）。
【０００３】
そして、被覆シート用保持具は、周方向の一部が支柱の直径よりも小さい寸法となるように軸線方向に切り欠いた切欠口を有する断面略Ｃ字状の保持具本体を備え、各支柱の周面に対し被覆シートを周方向から包囲した状態で、切欠口を介して保持具本体内に支柱を挿通して被覆シートを保持するようにしている。
【先行技術文献】
【特許文献】
【０００４】
【特許文献１】実用新案登録第３０１９７５７号公報
【考案の概要】
【考案が解決しようとする課題】
【０００５】
ところで、保持具本体は、支柱の周面に対し周方向から包囲した被覆シートを内周面に密着させた状態で保持する必要があり、弾性変形し難い合成樹脂などの材質により成形されている上、切欠口の寸法が支柱の直径よりもかなり小さく設定されている。このため、被覆シートを包囲した支柱の周面に保持具本体を装着する際にはかなりの力で押し込んで保持しなければならず、年配者や女性にとっては多大な負担を要し、被覆シート用保持具の使い勝手性が非常に悪いものであった。
【０００６】
本考案は、かかる点に鑑みてなされたものであり、その目的とするところは、年配者や女性であっても負担を要することなく簡単に装着されて支柱に対し被覆シートを円滑に保持することができる被覆シート用保持具を提供することにある。
【課題を解決するための手段】
【０００７】
前記目的を達成するため、本考案では、略真円形状の周面を有する支柱に対しシート状の被覆シートを保持する被覆シート用保持具を前提とする。更に、周方向の一部が前記支柱の直径よりも若干量だけ小さい寸法となるように軸線方向に切り欠いた切欠口を有する断面略Ｃ字状の保持具本体と、前記保持具本体の周面に摺接し、前記切欠口を周方向へ開放した状態に保持するように退避する一方当該切欠口を周方向から塞ぐように周方向へ進出する平面視で略円弧状の進退帯状部材と、を備える。そして、前記支柱の周面に対し前記被覆シートを周方向から包囲した状態で前記保持具本体内に挿通したときに開口している前記切欠口を塞ぐように前記進退帯状部材を進出させた際に、前記切欠口から露見する前記被覆シートの露見部分を貫通した状態で当該被覆シートを保持するようにしたことを特徴としている。
【０００８】
また、前記進退帯状部材を、前記保持具本体の少なくとも周方向３箇所に設けられた挿通部材に進退自在に支持していて、前記各挿通部材のうちの互いに相隣なる挿通部材同士の間より半径方向外方へ突出する突起により前記互いに相隣なる挿通部材同士の間を進退操作させ、前記突起が前記互いに相隣なる挿通部材同士の一方に当接するまで移動した際に前記切欠口を開口する退避した状態に切り換える一方、前記突起が前記互いに相隣なる挿通部材同士の他方に当接するまで移動した際に前記切欠口を塞ぐように進出した状態に切り換えるようにしてもよい。
【０００９】
また、前記進退帯状部材を、前記保持具本体の軸線方向に複数設けていてもよい。
【００１０】
更に、前記保持具本体を、亜鉛メッキされた鋼板により形成していてもよい。
【考案の効果】
【００１１】
以上、要するに、支柱の周面に対し被覆シートを周方向から包囲した状態で保持具本体内に支柱の直径よりも若干量だけ小さい寸法の切欠口を介して挿通するので、被覆シートを包囲した支柱の周面に対し保持具本体を簡単に装着することが可能となる。そして、被覆シートを包囲した支柱を挿通したときに開口している保持具本体の切欠口を塞ぐように進退帯状部材を進出させた際に、切欠口から露見する被覆シートの露見部分を進退帯状部材により貫通した状態で被覆シートを保持していることにより、年配者や女性であっても負担を要することなく被覆シート用保持具が簡単に装着されて支柱に対し被覆シートを円滑に保持することができる。
【００１２】
また、前記保持具本体の周方向の各挿通部材のうちの互いに相隣なる挿通部材同士の間より半径方向外方へ突出する突起を、その互いに相隣なる挿通部材の一方に当接するまで移動した際に切欠口を開口する退避した状態に進退帯状部材が切り換えられる一方、互いに相隣なる挿通部材の他方に当接するまで移動した際に切欠口を塞ぐように進出した状態に進退帯状部材が切り換えられる。これにより、互いに相隣なる挿通部材同士の間で突起を移動させるだけで、切欠口を簡単に開閉させることができる。
【００１３】
また、進退帯状部材を保持具本体の軸線方向の複数箇所に取り付けることで、支柱の周面に包囲した被覆シートを保持具本体の軸線方向の複数箇所で保持することができ、被覆シートの保持性能を向上させることができる。
【００１４】
更に、保持具本体を亜鉛メッキされた鋼板により形成することで、保持具本体の剛性を確保しつつ薄肉化が可能となり、コンパクトでかつ耐久性に優れた被覆シート用保持具を提供することができる。
【図面の簡単な説明】
【００１５】
【図１】本考案の第１の実施の形態に係る被覆シート用保持具により複数の支柱に対し被覆シートを保持した状態を示すハウス部の一部を切欠いた斜視図である。
【図２】図１の被覆シート用保持具を切欠口の開口状態で切欠口とは反対側となる背面側から見た斜視図である。
【図３】図２の被覆シート用保持具の背面図である。
【図４】図３の被覆シート用保持具を上方から見た平面図である。
【図５】図３の被覆シート用保持具を切欠口の閉塞状態で切欠口側となる正面側から見た正面図である。
【図６】図５の被覆シート用保持具を上方から見た平面図である。
【図７】第１の実施の形態の変形例に係る被覆シート用保持具を切欠口の開口状態で背面側から見た背面図である。
【図８】図７の被覆シート用保持具を切欠口の閉塞状態で正面側から見た正面図である。
【図９】本考案の第２の実施の形態に係る被覆シート用保持具を切欠口の開口状態で背面側から見た背面図である。
【図１０】図９の被覆シート用保持具を上方から見た平面図である。
【図１１】図９の被覆シート用保持具を切欠口の閉塞状態で正面側から見た正面図である。
【図１２】図１１の被覆シート用保持具を上方から見た平面図である。
【図１３】第２の実施の形態の変形例に係る被覆シート用保持具を切欠口の開口状態で背面側から見た背面図である。
【図１４】図１３の被覆シート用保持具を切欠口の閉塞状態で正面側から見た正面図である。
【考案を実施するための形態】
【００１６】
以下、本考案の実施の形態を図面に基づいて説明する。
【００１７】
図１は本考案の第１の実施の形態に係る被覆シート用保持具により複数の支柱に対し被覆シートを保持した状態を示すハウス部の一部を切欠いた斜視図を示している。
【００１８】
すなわち、図１に示すように、被覆シート用保持具２は、農耕地の土壌Ｃに一定の間隔を隔てて立設した複数の支柱Ａ，Ａ（図では２本のみ示す）に対し、通気性を有する網目状（例えば４ｍｍ角）の被覆シートＢを被覆した状態で、各支柱Ａに対し被覆シートＢを保持する際に用いられる。各支柱Ａは、略真円形状の周面を有するように断面略真円形状に形成されている。この場合、被覆シートＢは、各支柱Ａの上端同士にも掛け渡され、各支柱Ａを周囲及び上方から覆うようなハウス部を構成している。
【００１９】
図２は図１の被覆シート用保持具２を切欠口の開口状態で切欠口とは反対側となる背面側から見た斜視図を示している。また、図３は図２の被覆シート用保持具２の背面図、図４は図３の被覆シート用保持具２を上方から見た平面図をそれぞれ示している。
【００２０】
被覆シート用保持具２は、図２〜図４に示すように、周方向の一部が各支柱Ａの直径Ｌ（例えば約２８ｍｍ）よりも若干量（例えば約４ｍｍ）だけ小さい寸法Ｋ（例えば約２４ｍｍ）となるように軸線ｍ方向に切り欠いた切欠口２１を有する断面略Ｃ字状の保持具本体２０と、この保持具本体２０の外周面の軸線方向２個所に摺接自在に取り付けられ、周方向へ進退移動する平面視で略円弧状の進退帯状部材３，３と、を備えている。各進退帯状部材３は、ステンレス鋼により断面略円形状に形成されている。
【００２１】
保持具本体２０は、厚さ２ｍｍ程度の合成樹脂（例えばポリエチレン）により成形され、切欠口２１の周縁を略ハの字状に拡げる一対のフランジ片２２，２２を有している。保持具本体２０は、その軸線ｍ方向両端及び中央部において周方向へ連続的に微量（例えば約１ｍｍ）だけ外方へ膨出する段差状の第１厚肉部２０１，２０１，…を備えている。更に、保持具本体２０は、その周方向中央部を軸線ｍ方向両端の第１厚肉部２０１，２０１同士の間に亘って軸線ｍ方向へ連続的に微量（例えば約０．５ｍｍ）だけ半径方向外方へ膨出する段差状の第２厚肉部２０２を備えている。この場合、各第１厚肉部２０１は３ｍｍの肉厚に、第２厚肉部２０２は２ｍｍの肉厚にそれぞれ設定されている。
【００２２】
また、保持具本体２０の軸線ｍ方向両端及び中央部の第１厚肉部２０１，２０１，２０１の間には、その軸線ｍ方向２個所において周方向へ連続的に微量（例えば約１ｍｍ）だけ半径方向外方へ膨出する段差状の第３厚肉部２０３，２０３が設けられている。この各第３厚肉部２０３の外周面には、各進退帯状部材３をそれぞれ周方向へ進退移動案内させる溝部２３，２３がそれぞれ周方向へ連続して凹設されている。この各溝部２３は、保持具本体２０の外周面に摺接する進退帯状部材３の内側部分（摺接部分）が収容されるように断面略半円形状に形成されている。
【００２３】
更に、各第３厚肉部２０３の外周面における各溝部２３の周方向３箇所には、各進退帯状部材３を進退自在に支持した状態で挿通する第１〜第３挿通部材２４１，２４２，２４３がそれぞれ半径方向外方へそれぞれ若干量（例えば約２ｍｍ）だけ膨出している。この第１〜第３挿通部材２４１〜２４３は、保持具本体２０とは別体に当該保持具本体２０と同じ合成樹脂（例えばポリエチレン）により成形されている。各挿通部材２４１〜２４３は、図示しない接着材により保持具本体２０に接着されている。
【００２４】
各挿通部材２４１〜２４３のうちの周方向両端の第１及び第３挿通部材２４１，２４３が両フランジ片２２，２２に連結されている一方、残る周方向中央寄りの第２挿通部材２４２が各溝部２３の周方向中間付近に位置している。各挿通部材２４１〜２４３にも各溝部２３に対峙する断面略半円形状の対峙溝部２５がそれぞれ設けられ、この対峙溝部２５と各溝部２３とで各進退帯状部材３の進退移動が可能となるように当該各進退帯状部材３の直径（例えば直径約２ｍｍ）よりも微量（例えば１ｍｍ程度）だけ径の大きな略真円形状の挿通孔（例えば直径約３ｍｍ）を形成している。
【００２５】
保持具本体２０の両フランジ片２２，２２にも、各進退帯状部材３の進退移動を可能とする挿通孔２６がそれぞれ設けられている。この各挿通孔２６は、周方向両端の第１及び第３挿通部材２４１，２４３の対峙溝部２５と各溝部２３とからなる挿通孔と略一致する径に形成され、当該両挿通孔と周方向に連通している。
【００２６】
各進退帯状部材３は、両フランジ片２２，２２を含む各保持具本体２０の周方向の寸法と略一致する長さに設定され、一端（図４では左端）が尖っている。各進退帯状部材３は、周方向両端の第１及び第３挿通部材２４１，２４３のうちの互いに相隣なる第１挿通部材２４１（一方の挿通部材）及び周方向中央寄りの第２挿通部材２４２の間より半径方向外方へ突出する突起３１を備えている。そして、各進退帯状部材３は、突起３１により第１挿通部材２４１と第２挿通部材２４２との間を進退操作され、突起３１が一方（図４では中央寄り）となる第２挿通部材２４２に当接するまで移動した際に切欠口２１を開口する退避した状態に切り換えられる。このとき、第２挿通部材２４２は、第１及び第３挿通部材２４１，２４３のうちの他方（図４では右側）となる第３挿通部材２４３寄りに位置している。
【００２７】
図５は図３の被覆シート用保持具２を切欠口２１の閉塞状態で切欠口２１側となる正面側から見た正面図、図６は図５の被覆シート用保持具２を上方から見た平面図をそれぞれ示している。
【００２８】
図５及び図６に示すように、各進退帯状部材３は、突起３１により第１挿通部材２４１に当接するまで周方向一側回り（図６では反時計回り）へ移動した際に切欠口２１を塞ぐように進出した状態に切り換えられる。このとき、各進退帯状部材３の一端は、他方（図６では右側）のフランジ片２２の挿通孔２６の内部に挿通されている。
【００２９】
そして、被覆シートＢは、各支柱Ａの周面に対し周方向から包囲した状態で被せられ、保持具本体２０内に支柱Ａと共に挿通される。このとき、切欠口２１は開口しており、この開口している切欠口２１を塞ぐように各進退帯状部材３を進出させると、切欠口２１から露見する被覆シートＢの左右の露見部分Ｂ１，Ｂ１の編目を貫通した状態で当該被覆シートＢを保持するようにしている。
【００３０】
したがって、本実施の形態では、支柱Ａの周面に対し被覆シートＢが周方向から包囲された状態で保持具本体２０内に支柱Ａの直径Ｌよりも４ｍｍだけ小さい寸法Ｋの切欠口２１を介して挿通されるので、被覆シートＢを包囲した支柱Ａの周面に対し保持具本体２０を簡単に装着することが可能となる。そして、被覆シートＢを包囲した支柱Ａを挿通したときに開口している保持具本体２０の切欠口２１を塞ぐように進退帯状部材３を進出させた際に、切欠口２１から露見する被覆シートＢの露見部分Ｂ１，Ｂ１が進退帯状部材３により貫通された状態で被覆シートＢが保持されていることにより、年配者や女性であっても負担を要することなく被覆シート用保持具２が簡単に装着されて支柱Ａに対し被覆シートＢを円滑に保持することができる。
【００３１】
しかも、進退帯状部材３は、保持具本体２０の周方向の各挿通部材２４１〜２４３のうちの互いに相隣なる第１及び第２挿通部材２４１，２４２同士の間より半径方向外方へ突出する突起３１を第２挿通部材２４２に当接するまで移動した際に切欠口２１を開口する退避した状態に切り換えられる一方、第２挿通部材２４２に当接するまで移動した際に切欠口２１を塞ぐように進出した状態に切り換えられる。これにより、互いに相隣なる第１及び第２挿通部材２４１，２４２の間で突起３１を移動させるだけで、切欠口２１を簡単に開閉させることができる。
【００３２】
また、進退帯状部材３が保持具本体２０の軸線方向の２箇所に取り付けられているので、支柱Ａの周面に包囲した被覆シートＢを保持具本体２０の軸線ｍ方向の２箇所で保持することができ、被覆シートＢの保持性能を向上させることができる。
【００３３】
なお、前記第１の実施の形態では、保持具本体２０の軸線ｍ方向２個所の第３厚肉部２０３，２０３にそれぞれ進退帯状部材３を設けたが、図７及び図８に示すように、被覆シート用保持具４の保持具本体４０の軸線ｍ方向の１個所のみに進退帯状部材３が設けられていてもよい。
【００３４】
具体的には、保持具本体４０は、周方向の一部が寸法Ｋとなるように軸線ｍ方向に切り欠いた切欠口４１を有して厚さ２ｍｍ程度の合成樹脂（例えばポリエチレン）により断面略Ｃ字状に形成され、切欠口４１の周縁を略ハの字状に拡げる一対のフランジ片４２，４２を有している。また、保持具本体４０は、その軸線ｍ方向両端において周方向へ連続的に微量（例えば約１ｍｍ）だけ外方へ膨出する段差状の第１厚肉部４０１，４０１と、その周方向中央部を軸線ｍ方向両端の第１厚肉部４０１，４０１同士の間に亘って軸線ｍ方向へ連続的に微量（例えば約０．５ｍｍ）だけ半径方向外方へ膨出する段差状の第２厚肉部４０２と、保持具本体４０の軸線ｍ方向両端の第１厚肉部４０１，４０１の間において周方向へ連続的に微量（例えば約１ｍｍ）だけ半径方向外方へ膨出する段差状の第３厚肉部４０３とを備えている。この第３厚肉部４０３の外周面には、進退帯状部材３を周方向へ進退移動案内させる断面略半円形状の溝部４３が周方向へ連続して凹設されている。
【００３５】
更に、第３厚肉部４０３の外周面における溝部４３の周方向３箇所には、各進退帯状部材３を進退自在に支持した状態で挿通する第１〜第３挿通部材４４１，４４２，４４３がそれぞれ半径方向外方へそれぞれ若干量（例えば約２ｍｍ）だけ膨出している。この第１〜第３挿通部材４４１〜４４３は、保持具本体４０に対し接着材により接着され、その保持具本体４０と同じ合成樹脂（例えばポリエチレン）により成形されている。そのうち、周方向両端の第１及び第３挿通部材４４１，４４３が両フランジ片４２，４２に連結されている一方、残る周方向中央寄りの第２挿通部材４４２が各溝部４３の周方向中間付近よりも第３挿通部材４４３寄りに位置している。なお、符号４６は、保持具本体４０の両フランジ片４２，４２に開口する、各進退帯状部材３の進退移動を可能とする挿通孔である。
【００３６】
この変形例の場合、保持具本体の軸線方向複数箇所にそれぞれ進退帯状部材を設けたものに比して保持具本体４０の軸線ｍ方向の長さが短縮され、支柱Ａに対し被覆シート用保持具４を最適な間隔で取り付けることが可能となる。
【００３７】
次に、本考案の第２の実施の形態を図面に基づいて説明する。
【００３８】
この実施の形態では、保持具本体の材質を合成樹脂に代えて亜鉛メッキされた鋼板により形成している。なお、前記第１の実施の形態と同一の部分については同じ符号を付してその詳細な説明は省略する。
【００３９】
図９は本考案の第２の実施の形態に係る被覆シート用保持具を切欠口の開口状態で背面側から見た背面図、図１０は図９の被覆シート用保持具を上方から見た平面図をそれぞれ示している。
【００４０】
すなわち、本実施の形態では、図９及び図１０に示すように、被覆シート用保持具５は、周方向の一部が各支柱Ａの直径Ｌよりも若干量（例えば約４ｍｍ）だけ小さい寸法Ｋとなるように軸線ｍ方向に切り欠いた切欠口５１を有する断面略Ｃ字状の保持具本体５０と、この保持具本体５０の外周面の軸線方向２個所に摺接自在に取り付けられ、周方向へ進退移動する平面視で略円弧状の進退帯状部材６，６と、を備えている。各進退帯状部材６は、ステンレス鋼により断面略円形状に形成されている。
【００４１】
保持具本体５０は、厚さ２ｍｍ程度の亜鉛メッキされた鋼板により形成され、切欠口５１の周縁を略ハの字状に拡げる一対のフランジ片５２，５２を有している。保持具本体５０は、その軸線ｍ方向の２個所において周方向へ連続的に微量（例えば約１ｍｍ）だけ外方へ膨出する段差状の厚肉部５０１，５０１を備えている。この厚肉部５０１の外周面には、各進退帯状部材６をそれぞれ周方向へ進退移動案内させる溝部５３，５３がそれぞれ周方向へ連続して凹設されている。各溝部５３は、保持具本体５０の外周面に摺接する進退帯状部材６の内側部分（摺接部分）が収容されるように断面略半円形状に形成されている。
【００４２】
更に、各厚肉部５０１の外周面における各溝部５３の周方向３箇所には、各進退帯状部材６を進退自在に支持した状態で挿通する第１〜第３挿通部材５４１，５４２，５４３がそれぞれ設けられている。第１〜第３挿通部材５４１，５４２，５４３は、それぞれ溝部５３との対応位置において軸線ｍ方向に切断され、それぞれの切断部分同士を軸線ｍ方向に連結する連結片５９を備えている。各連結片５９は、各溝部５３に対峙する断面略半円形状の対峙溝部５５をそれぞれ有するように半径方向外方へそれぞれ若干量（例えば約２ｍｍ）だけ断面略半円弧状に膨出している。
【００４３】
また、第１〜第３挿通部材５４１，５４２，５４３及び各連結片５９は、保持具本体５０と同様に亜鉛メッキされた鋼板により形成されている。各挿通部材５４１〜５４３は保持具本体５０に、各連結片５９は各挿通部材５４１〜５４３にそれぞれ図示しない接着材又は溶着材により接着されている。そして、第１〜第３挿通部材５４１，５４２，５４３及び各連結片５９は、各対峙溝部５５と各溝部５３とで各進退帯状部材６の進退移動が可能となるように当該各進退帯状部材６の直径（例えば直径約２ｍｍ）よりも微量（例えば１ｍｍ程度）だけ径の大きな略真円形状の挿通孔（例えば直径約３ｍｍ）を有している。
【００４４】
保持具本体５０の両フランジ片５２，５２にも、各進退帯状部材６の進退移動を可能とする挿通孔５６がそれぞれ設けられている。この各挿通孔５６は、周方向両端の第１及び第３挿通部材５４１，５４３の対峙溝部５５と各溝部５３とからなる挿通孔と略一致する径に形成されている。
【００４５】
各進退帯状部材６は、両フランジ片５２，５２を含む各保持具本体５０の周方向の寸法と略一致する長さに設定され、一端（図１０では左端）が尖っている。各進退帯状部材６は、周方向両端の第１及び第３挿通部材５４１，５４３のうちの互いに相隣なる第１挿通部材５４１（一方の挿通部材）及び周方向中央寄りの第２挿通部材５４２の間より半径方向外方へヘアピン状に屈曲された状態で突出する突起６１を備えている。そして、各進退帯状部材６は、突起６１により第１挿通部材５４１と第２挿通部材５４２との間を進退操作され、突起６１が一方（図１０では中央寄り）となる第２挿通部材５４２に当接するまで移動した際に切欠口５１を開口する退避した状態に切り換えられる。このとき、第２挿通部材５４２は、第１及び第３挿通部材５４１，５４３のうちの他方（図１０では右側）となる第３挿通部材５４３寄りに位置している。
【００４６】
図１１は図９の被覆シート用保持具を切欠口の閉塞状態で正面側から見た正面図、図１２は図１１の被覆シート用保持具を上方から見た平面図をそれぞれ示している。
【００４７】
図１１及び図１２に示すように、各進退帯状部材６は、突起６１により第１挿通部材５４１に当接するまで周方向一側回り（図１２では反時計回り）へ移動した際に切欠口５１を塞ぐように進出した状態に切り換えられる。このとき、各進退帯状部材６の一端は、他方（図１２では右側）のフランジ片５２の挿通孔５６の内部に挿通されている。
【００４８】
そして、被覆シートＢは、各支柱Ａの周面に対し周方向から包囲した状態で被せられ、保持具本体５０内に支柱Ａと共に挿通される。このとき、切欠口５１は開口しており、この開口している切欠口５１を塞ぐように各進退帯状部材６を進出させると、切欠口５１から露見する被覆シートＢの左右の露見部分Ｂ１，Ｂ１の編目を貫通した状態で当該被覆シートＢを保持するようにしている。
【００４９】
したがって、本実施の形態では、支柱Ａの周面に対し被覆シートＢが周方向から包囲された状態で保持具本体５０内に支柱Ａの直径Ｌよりも４ｍｍだけ小さい寸法Ｋの切欠口５１を介して挿通されるので、被覆シートＢを包囲した支柱Ａの周面に対し保持具本体５０を簡単に装着することが可能となる。そして、被覆シートＢを包囲した支柱Ａを挿通したときに開口している保持具本体５０の切欠口５１を塞ぐように進退帯状部材６を進出させた際に、切欠口５１から露見する被覆シートＢの露見部分Ｂ１，Ｂ１が進退帯状部材６により貫通された状態で被覆シートＢが保持されていることにより、年配者や女性であっても負担を要することなく被覆シート用保持具５が簡単に装着されて支柱Ａに対し被覆シートＢを円滑に保持することができる。
【００５０】
しかも、進退帯状部材６は、保持具本体５０の周方向の各挿通部材５４１〜５４３のうちの互いに相隣なる第１及び第２挿通部材５４１，５４２同士の間より半径方向外方へ突出する突起６１を第２挿通部材５４２に当接するまで移動した際に切欠口５１を開口する退避した状態に切り換えられる一方、第２挿通部材５４２に当接するまで移動した際に切欠口５１を塞ぐように進出した状態に切り換えられる。これにより、互いに相隣なる第１及び第２挿通部材５４１，５４２の間で突起６１を移動させるだけで、切欠口５１を簡単に開閉させることができる。
【００５１】
また、進退帯状部材６が保持具本体５０の軸線方向の２箇所に取り付けられているので、支柱Ａの周面に包囲した被覆シートＢを保持具本体５０の軸線ｍ方向の２箇所で保持することができ、被覆シートＢの保持性能を向上させることができる。
【００５２】
なお、前記第２の実施の形態では、保持具本体５０の軸線ｍ方向２個所の厚肉部５０１，５０１にそれぞれ進退帯状部材６を設けたが、図１３及び図１４に示すように、被覆シート用保持具７の保持具本体７０の軸線ｍ方向の１個所のみに進退帯状部材６が設けられていてもよい。
【００５３】
具体的には、保持具本体７０は、周方向の一部が寸法Ｋとなるように軸線ｍ方向に切り欠いた切欠口７１を有して厚さ２ｍｍ程度の亜鉛メッキされた鋼材により断面略Ｃ字状に形成され、切欠口７１の周縁を略ハの字状に拡げる一対のフランジ片７２，７２を有している。また、保持具本体７０は、その軸線ｍ方向の中央部において周方向へ連続的に微量（例えば約１ｍｍ）だけ外方へ膨出する段差状の厚肉部７０１を備えている。この厚肉部７０１の外周面には、各進退帯状部材６をそれぞれ周方向へ進退移動案内させる溝部７３がそれぞれ周方向へ連続して凹設されている。各溝部７３は、保持具本体５０の外周面に摺接する進退帯状部材６の内側部分（摺接部分）が収容されるように断面略半円形状に形成されている。
【００５４】
更に、厚肉部７０１の外周面における溝部７３の周方向３箇所には、各進退帯状部材６を進退自在に支持した状態で挿通する第１〜第３挿通部材７４１，７４２，７４３がそれぞれ設けられている。第１〜第３挿通部材７４１，７４２，７４３は、それぞれ溝部７３との対応位置において軸線ｍ方向に切断され、それぞれの切断部分同士を軸線ｍ方向に連結する連結片７９を備えている。各連結片７９は、溝部７３に対峙する断面略半円形状の対峙溝部７５をそれぞれ有するように半径方向外方へそれぞれ若干量（例えば約２ｍｍ）だけ断面略半円弧状に膨出している。なお、第１〜第３挿通部材７４１〜７４３のうちの周方向中央寄りの第２挿通部材７４２は、溝部７３の周方向中間付近よりも第３挿通部材７４３寄りに位置している。
【００５５】
また、第１〜第３挿通部材７４１，７４２，７４３及び各連結片７９は、保持具本体７０と同様に亜鉛メッキされた鋼板により形成されている。各挿通部材７４１〜７４３は保持具本体７０に、各連結片７９は各挿通部材７４１〜７４３にそれぞれ図示しない接着材又は溶着材により接着されている。そして、第１〜第３挿通部材７４１，７４２，７４３及び各連結片７９は、各対峙溝部７５と各溝部７３とで各進退帯状部材６の進退移動が可能となるように当該各進退帯状部材６の直径（例えば直径約２ｍｍ）よりも微量（例えば１ｍｍ程度）だけ径の大きな略真円形状の挿通孔（例えば直径約３ｍｍ）を有している。
【００５６】
保持具本体７０の両フランジ片７２，７２にも、各進退帯状部材６の進退移動を可能とする挿通孔７６がそれぞれ設けられている。この各挿通孔７６は、周方向両端の第１及び第３挿通部材７４１，７４３の対峙溝部７５と溝部７３とからなる挿通孔と略一致する径に形成されている。
【００５７】
この変形例の場合、保持具本体の軸線方向複数箇所にそれぞれ進退帯状部材を設けたものに比して保持具本体７０の軸線ｍ方向の長さが短縮されるので、支柱Ａに対し被覆シート用保持具７を最適な間隔で取り付けることが可能となる。
【００５８】
なお、本考案は、前記各実施の形態に限定されるものではなく、その他種々の変形例を包含している。例えば、前記第１の実施の形態及びその変形例では、保持具本体２０，４０を合成樹脂、例えばポリエチレンにより成形したが、これに限定されることはなく、ポリプロピレンなどの合成樹脂により成形されていてもよい。
【００５９】
また、前記各実施の形態では、保持具本体２０，５０の軸線ｍ方向２個所の厚肉部２０１，５０１にそれぞれ進退帯状部材３，６を設けたが、保持具本体の軸線方向の３個所以上に進退帯状部材が設けられていてもよい。
【００６０】
また、前記各実施の形態及び各変形例では、被覆シートとして、通気性を有する網目状のものを適用したが、透光性を有しかつ非通気性のビニール製の被覆シートが適用されていてもよい。
【００６１】
更に、前記各実施の形態及び各変形例では、各支柱Ａの直径Ｌを例えば約２８ｍｍに設定したが、支柱の直径Ｌは、これに限定されるものではなく、１６ｍｍ〜５０ｍｍの範囲内であればよい。このとき、保持具本体の内径は、支柱の周面に包囲される被覆シートの厚みを考慮して支柱の直径よりも１ｍｍ〜２ｍｍ程度大きく設定しておいてもよい。また、切欠口の寸法Ｋも、支柱の直径Ｌよりも若干量（例えば約４ｍｍ）だけ小さくせずとも、支柱の直径と同じ大きさ、又は１ｍｍ〜３ｍｍ程度だけ小さく設定されていてもよい。
【００６２】
また、前記各実施の形態及び各変形例では、被覆シートＢを各支柱Ａの上端同士にも掛け渡し、各支柱Ａを周囲及び上方から覆うようなハウス部を構成したが、被覆シートによって害獣などの侵入を防止するように当該被覆シートによって各支柱の周囲のみを覆っていてもよい。
【符号の説明】
【００６３】
２        被覆シート用保持具
２０      保持具本体
２１      切欠口
３        進退帯状部材
３１      突起
４        被覆シート用保持具
４０      保持具本体
４１      切欠口
５        被覆シート用保持具
５０      保持具本体
５１      切欠口
６        進退帯状部材
６１      突起
７        被覆シート用保持具
７０      保持具本体
７１      切欠口
Ａ        支柱
Ｂ        被覆シート
Ｂ１      露見部分
ｍ        軸線
【図１】
0003233068.tif 000003
【図２】
0003233068.tif 000004
【図３】
0003233068.tif 000005
【図４】
0003233068.tif 000006
【図５】
0003233068.tif 000007
【図６】
0003233068.tif 000008
【図７】
0003233068.tif 000009
【図８】
0003233068.tif 000010
【図９】
0003233068.tif 000011
【図１０】
0003233068.tif 000012
【図１１】
0003233068.tif 000013
【図１２】
0003233068.tif 000014
【図１３】
0003233068.tif 000015
【図１４】
0003233068.tif 000016